(57)【要約】【課題】キャンセル能力を劣化させない無線中継装置を提供すること。【解決手段】アンテナ１ａ，１ｂにそれぞれ接続されたサーキュレータ２ａ，２ｂと、サーキュレータ２ａから出力された信号と干渉抑圧回路１５ａからの信号を合成する方向性結合器３ａと、この合成された信号のうち、伝送帯域の信号を通過させて出力するフィルタ４ａと、フィルタ４ａから出力された信号を増幅する増幅器８ａと、増幅器８ａによって増幅された信号のうち、伝送帯域の信号を通過させるフィルタ９ａと、フィルタ９ａから出力された信号を、サーキュレータ２ｂに出力するとともに、干渉抑圧回路１５ａに出力する方向性結合器１０ａとを備え、干渉抑圧回路１５ａは、方向性結合器１０ａからの信号とフィルタ４ａから出力された信号とをもとに干渉抑圧信号を生成し、方向性結合器３ａに出力する。【選択図】　　　図１
2004048203.tif 000002
【特許請求の範囲】
【請求項１】
第１のアンテナから受信した受信信号と同一周波数の送信信号を増幅して第２のアンテナから送出する際、前記第２のアンテナから前記第１のアンテナへの回り込み信号による干渉を抑圧する干渉抑圧手段を備えた無線中継装置において、
前記第１のアンテナから入力された受信信号および前記干渉抑圧手段から出力された干渉抑圧信号を合成する第１の方向性結合器と、
前記第１の方向性結合器から出力された信号のうち、伝送帯域の信号を通過させて出力する第１のフィルタと、
前記第１のフィルタから出力された信号を増幅する増幅手段と、
前記増幅手段によって増幅された信号のうち、伝送帯域の信号を通過させる第２のフィルタと、
前記第２のフィルタから出力された信号を、前記第２のアンテナに出力するとともに、前記干渉抑圧手段に干渉参照信号として出力する第２の方向性結合器とを備え、
前記干渉抑圧手段は、それぞれ前記第２の方向性結合器から出力された前記干渉参照信号と前記増幅手段に入力される送信信号とをもとに前記回り込み信号の干渉を抑圧する前記干渉抑圧信号を前記第１の方向性結合器に出力することを特徴とする無線中継装置。
【請求項２】
第１のアンテナから受信した第１の受信信号と同一周波数の送信信号を増幅して第２のアンテナから送出する第１の中継手段と、前記第２のアンテナから受信した第２の受信信号と同一周波数の送信信号を増幅して第１のアンテナから送出する第２の中継手段と、前記第２のアンテナから前記第１のアンテナへの回り込み信号による干渉を抑圧する第１の干渉抑圧手段と、前記第１のアンテナから前記第２のアンテナへの回り込み信号による干渉を抑圧する第２の干渉抑圧手段とを備えた無線中継装置において、
前記第１のアンテナから入力された第１の受信信号を前記第１の中継手段に出力するとともに、前記第２の中継手段から出力された信号を前記第１のアンテナに出力する第１のサーキュレータと、
前記第２のアンテナから入力された第２の受信信号を前記第２の中継手段に出力するとともに、前記第１の中継手段から出力された信号を前記第２のアンテナに出力する第２のサーキュレータとを備え、
前記第１の中継手段は、
前記第１のサーキュレータから出力された第１の受信信号および前記第１の干渉抑圧手段から出力された第１の干渉抑圧信号を合成する第１の方向性結合器と、
前記第１の方向性結合器から出力された信号のうち、伝送帯域の信号を通過させて出力する第１のフィルタと、
前記第１のフィルタから出力された信号を増幅する第１の増幅手段と、
前記第１の増幅手段によって増幅された信号のうち、伝送帯域の信号を通過させる第２のフィルタと、
前記第２のフィルタから出力された信号を、前記第２のサーキュレータに出力するとともに、前記第１の干渉抑圧手段に第１の干渉参照信号として出力する第２の方向性結合器とを備え、
前記第２の中継手段は、
前記第２のサーキュレータから出力された第２の受信信号および前記第２の干渉抑圧手段から出力された第２の干渉抑圧信号を合成する第３の方向性結合器と、
前記第３の方向性結合器から出力された信号のうち、伝送帯域の信号を通過させて出力する第３のフィルタと、
前記第３のフィルタから出力された信号を増幅する第２の増幅手段と、
前記第２の増幅手段によって増幅された信号のうち、伝送帯域の信号を通過させる第４のフィルタと、
前記第４のフィルタから出力された信号を、前記第１のサーキュレータに出力するとともに、前記第２の干渉抑圧手段に第２の干渉参照信号として出力する第４の方向性結合器とを備え、
前記第１および第２の干渉抑圧手段は、それぞれ前記第２および第４の方向性結合器から出力された前記第１および第２の干渉参照信号と前記第１および第２の増幅手段に入力される送信信号とをもとに前記回り込み信号の干渉を抑圧する前記第１および第２の干渉抑圧信号を前記第１および第３の方向性結合器にそれぞれ出力することを特徴とする無線中継装置。
【請求項３】
第１のアンテナから受信した第１の受信信号と同一周波数の送信信号を増幅して第２のアンテナから送出する第１の中継手段と、前記第２のアンテナから受信した第２の受信信号と同一周波数の送信信号を増幅して第１のアンテナから送出する第２の中継手段と、前記第２のアンテナから前記第１のアンテナへの回り込み信号による干渉を抑圧する第１の干渉抑圧手段と、前記第１のアンテナから前記第２のアンテナへの回り込み信号による干渉を抑圧する第２の干渉抑圧手段とを備えた無線中継装置において、
前記第１のアンテナ側から入力された受信信号を前記第１の増幅手段に出力するとともに前記第２の増幅手段から入力された信号を前記第１のアンテナ側に出力する第１の共用器と、
前記第２のアンテナ側から入力された受信信号を前記第２の増幅手段に出力するとともに前記第１の増幅手段から入力された信号を前記第２のアンテナ側に出力する第２の共用器と、
前記第１のアンテナと前記第１の共用器との間に設けられ、少なくとも前記第１の干渉抑圧手段から出力された第１の干渉抑圧信号と前記第１の受信信号とを合成して前記第１の共用器に出力するとともに、前記第１の共用器から出力された前記第２の増幅手段からの信号を取り出す第１の方向性結合器と、
前記第２のアンテナと前記第２の共用器との間に設けられ、少なくとも前記第２の干渉抑圧手段から出力された第２の干渉抑圧信号と前記第２の受信信号とを合成して第２の共用器に出力するとともに、前記第２の共用器から出力された前記第１の増幅手段からの信号を取り出す第２の方向性結合器と、
前記第１の方向性結合器と前記第１の干渉抑圧手段の出力端と前記第２の干渉抑圧手段の入力端とを結合する第１のサーキュレータと、
前記第２の方向性結合器と前記第２の干渉抑圧手段の出力端と前記第１の干渉抑圧手段の入力端とを結合する第２のサーキュレータとを備え、
前記第１および第２の干渉抑圧手段は、それぞれ前記第２および第１のサーキュレータから出力された前記第１および第２干渉参照信号と前記第１および第２の増幅手段に入力される送信信号とをもとに前記回り込み信号の干渉を抑圧する前記第１および第２の干渉抑圧信号を前記第１および第２のサーキュレータを介して前記第１および第２の方向性結合器にそれぞれ出力することを特徴とする無線中継装置。
【請求項４】
前記干渉抑圧手段あるいは前記第１および第２の干渉抑圧手段は、前記回り込み信号の遅延量にほぼ対応した遅延量をそれぞれ付与する遅延手段を備えたことを特徴とする請求項１〜３のいずれか一つに記載の無線中継装置。
【請求項５】
前記増幅手段あるいは前記第１および第２の増幅手段は、符号分割多元接続方式における拡散符号の１チップ以上の遅延量をそれぞれ付与するチップ遅延手段を備え、
前記干渉抑圧手段あるいは前記第１および第２の干渉抑圧手段は、前記回り込み信号の遅延量にほぼ対応した遅延量をそれぞれ付与する遅延手段を備えたことを特徴とする請求項１〜３のいずれか一つに記載の無線中継装置。
【請求項６】
前記第１の方向性結合器と前記第１の共用器との間に設けられ、符号分割多元接続方式における拡散符号の１／２チップ以上の遅延量を付与する第１の遅延手段と、
前記第２の方向性結合器と前記第２の共用器との間に設けられ、符号分割多元接続方式における拡散符号の１／２チップ以上の遅延量を付与する第２の遅延手段とを備え、
前記第１および第２の干渉抑圧手段は、前記回り込み信号の遅延量にほぼ対応した遅延量をそれぞれ付与する第３および第４の遅延手段を備えたことを特徴とする請求項２に記載の無線中継装置。
【請求項７】
前記干渉抑圧手段あるいは前記第１および第２の干渉抑圧手段は、
可変減衰器と、
可変移相器と、
前記干渉参照信号あるいは前記第１または第２の干渉参照信号と、前記第１または第３のフィルタあるいは前記第１または第２の共用器あるいは前記第１または第２の方向性結合器からの信号との相関演算をそれぞれ行い、該相関演算の出力信号を積分して得られた複素数の出力信号の絶対値の逆数によって前記可変減衰器をそれぞれ制御し、該出力信号の位相を１８０度シフトした値によって前記可変移相器をそれぞれ制御する制御手段と、
を備えたことを特徴とする請求項１〜６のいずれか一つに記載の無線中継装置。
【請求項８】
前記第１および第２の干渉抑圧手段は、物理的に一つの制御手段によって形成されることを特徴とする請求項７に記載の無線中継装置。
【請求項９】
少なくとも第１のアンテナに接続された第１の方向性結合器と、
少なくとも第２のアンテナに接続された第２の方向性結合器と、
第１の方向性結合器に接続された半チップ以上の遅延を付与する第１の遅延器と、
第２の方向性結合器に接続された半チップ以上の遅延を付与する第２の遅延器と、
第１の方向性結合器に接続された第１のサーキュレータと、
第２の方向性結合器に接続された第２のサーキュレータと、
前記第２のサーキュレータから出力された信号と前記第１の方向性結合器から出力された信号とをもとに干渉抑圧信号を生成し、前記第１のサーキュレータに出力する第１の干渉抑圧回路と、
前記第１のサーキュレータから出力された信号と前記第２の方向性結合器から出力された信号とをもとに干渉抑圧信号を生成し、前記第２のサーキュレータに出力する第２の干渉抑圧回路と、
前記第１および第２の干渉抑圧回路を制御して前記干渉抑圧信号を生成させる制御手段とを備え、
前記第１の方向性結合器は、前記第１のアンテナから入力された信号と前記第１のサーキュレータから出力された干渉抑圧信号とを合成して前記第１の遅延器を介して出力するとともに、その一部を前記制御手段に出力し、前記第１の遅延器から入力された信号を前記第１のアンテナに出力するとともに、その一部を前記第１のサーキュレータに出力し、
前記第２の方向性結合器は、前記第２のアンテナから入力された信号と前記第２のサーキュレータから出力された干渉抑圧信号とを合成して前記第２の遅延器を介して出力するとともに、その一部を前記制御手段に出力し、前記第２の遅延器から入力された信号を前記第２のアンテナに出力するとともに、その一部を前記第２のサーキュレータに出力することを特徴とする干渉抑圧装置。
【発明の詳細な説明】
【０００１】
【発明の属する技術分野】
この発明は、移動通信システムに用いられ、特に基地局と移動局との間の不感地帯の解消あるいはカバーエリアの拡大に用いられる無線中継装置および干渉抑圧装置に関するものである。
【０００２】
【従来の技術】
従来から、移動体通信システムなどでは、基地局と移動局との間に、山岳地域や、平野部であってもビル内あるいはトンネル内などの比較的に電波の届きにくい場所が発生し、この場合、無線中継装置が用いられる。このほか、無線中継装置は、無線ゾーンのエリア拡大のためにも用いられる。
【０００３】
この無線中継装置には、符号分割多元接続方式や符号分割多重方式を用い、受信した信号をそのまま、すなわち高周波信号のまま中継するＲＦリピータ装置がある。このＲＦリピータ装置は、再生中継せずにそのまま中継するために、コスト的に有利な装置である。
【０００４】
図７は、不感地帯をカバーする無線中継装置が用いられた移動通信システムの概要構成を示す図である。図７において、基地局１００と移動局１０１とは、移動局１０１が不感地帯１０３に位置するため、直接通信を行うことができない。無線中継装置２００は、基地局１００と移動局１０１との間の通信を中継する。無線中継装置２００は、基地局１００からの下り信号ｆＤをアンテナ２０１ａで受信し、この下り信号ｆＤを増幅してアンテナ２０１ｂから移動局１０１に送信する。一方、移動局１０１からの上り信号ｆＵは、アンテナ２０１ｂで受信し、この上り信号ｆＵを増幅してアンテナ２０１ａから基地局１００に送信する。
【０００５】
ここで、ＲＦリピータ装置としての無線中継装置２００は、同一周波数の高周波信号をそのまま増幅し輻射するため、アンテナ２０１ａ，２０１ｂ間のアイソレーションをリピータ利得よりも高く取るように設置される。しかし、送受信アンテナ間を十分離隔できないなど、ＲＦリピータ装置の設置制約上から、送受信アンテナ間のアイソレーションが十分とれない場合が発生し、送受信アンテナ間の回り込み信号によって伝送品質が劣化したり、あるいはアンテナ間のアイソレーションに比してリピータ利得が高い場合、発振してしまうという不具合が発生する。
【０００６】
このため、無線中継装置２００は、図８に示すように、回り込み信号を抑圧する干渉抑圧回路２１５ａ，２１５ｂが設けられる。図８において、この無線中継装置２００は、ＲＦリピータ装置であり、共用器２０２ａ，２０２ｂを用いて、アンテナ２０１ａ，２０１ｂを送受信アンテナとして使用している。アンテナ２０１ａによって受信された下り信号は、共用器２０２ａおよび方向性結合器２０３ａを介して増幅器２０８ａに出力され、増幅される。増幅された下り信号は、方向性結合器２１０ａによって共用器２０２ｂに出力され、アンテナ２０１ｂを介して輻射されるとともに、一部は干渉抑圧回路２１５ａに出力される。干渉抑圧回路２１５ａは、入力された下り信号に対して同振幅・逆位相の信号を生成し、干渉抑圧信号として方向性結合器２０３ａに出力する。一方、アンテナ２０１ｂから出力された下り信号の一部は、アンテナ２０１ａへの回り込み信号Ｓａとして再度アンテナ２０１ａに入力されるが、方向性結合器２０３ａにおける干渉抑圧信号との合成により、回り込み信号Ｓａがキャンセルされる。同様にして、アンテナ２０１ｂから入力された上り信号は、共用器２０２ｂ、方向性結合器２０３ｂ、増幅器２０８ｂ、方向性結合器２１０ｂおよび共用器２０２ａを介して中継されるが、この際、干渉抑圧回路２１５ｂによって回り込み信号Ｓｂがキャンセルされる。
【０００７】
図９は、図８に示した無線中継装置２００の詳細構成を示すブロック図である。図９において、この無線中継装置は、方向性結合器２０３ａ，２０３ｂの後段に低雑音増幅器２０５ａ，２０５ｂ、方向性結合器２０６ａ，２０６ｂおよび遅延器２０７ａ，２０７ｂが設けられている。遅延器２０７ａ，２０７ｂは、１チップ以上、例えば広帯域符号分割多元接続方式の拡散符号速度が４Ｍｃｈｉｐ／ｓｅｃの場合２５０ｎｓｅｃ以上の遅延を与える。遅延器２１２ａ，２１２ｂは、回り込み信号Ｓａ，Ｓｂの遅延を付加した遅延量を付与する。演算処理部ＣＣは、方向性結合器２１０ａ，２１０ｂから分岐出力された干渉参照信号と方向性結合器２０６ａ，２０６ｂから分岐出力された信号、すなわち１チップ以上遅延した信号、換言すれば干渉抑圧された信号との相関をディジタル信号処理によって、さらに干渉抑圧率を改善するため、干渉参照信号と同振幅・逆位相の信号を生成すべく、減衰器２１４ａ，２１４ｂおよび移相器２１３ａ，２１３ｂを可変調整し、それぞれ方向性結合器２０３ａ，２０３ｂに出力し、干渉抑圧を行う。
【０００８】
【発明が解決しようとする課題】
しかしながら、上述した従来の無線中継装置では、装置の小型化および製造の簡易化などのために、アンテナ２０１ａ，２０１ｂが下り信号と上り信号とを共用して使用すべく共用器２０２ａ，２０２ｂを用い、干渉参照信号を取り出す点が共用器２０２ｂ，２０２ａの前段に設けられた方向性結合器２１０ａ，２１０ｂから干渉参照信号を取り出し、干渉抑圧回路２１５ａ，２１５ｂに出力していたため、干渉抑圧対象の回り込み信号Ｓａ，Ｓｂに共用器２０２ｂ，２０２ａの周波数特性が付加され、この周波数特性が付加されていない干渉抑圧信号とキャンセル能力が低下するという問題点があった。
【０００９】
たとえば、下り信号において、干渉参照信号は、方向性結合器２１０ａから取り出され、干渉抑圧信号が方向性結合器２０３ａにおいて回り込み信号Ｓａと合成されるが、この回り込み信号Ｓａは、方向性結合器２１０ａから共用器２０２ｂ，２０２ａを介して方向性結合器２０３ａに入力されるため、共用器２０２ｂ，２０２ａの周波数特性、すなわち振幅、位相、遅延の周波数特性が付加された回り込み信号Ｓａと、干渉抑圧信号が対象とする回り込み信号とは異なる信号となり、キャンセルが十分に行われないことになる。
【００１０】
なお、共用器２０２ａは、下り信号側のフィルタ２０２ａａと上り信号側のフィルタ２０２ａｂとを内蔵し、共用器２０２ｂは、下り信号側のフィルタ２０２ｂａと上り信号側のフィルタ２０２ｂｂとを内蔵しており、これらのフィルタ２０２ａａ，２０２ａｂ，２０２ｂａ，２０２ｂｂによって周波数特性が付加されることになる。
【００１１】
この発明は、上述した従来技術による問題点を解消するため、キャンセル能力を劣化させない無線中継装置および干渉抑圧装置を提供することを目的とする。
【００１２】
【課題を解決するための手段】
上述した課題を解決し、目的を達成するため、請求項１にかかる無線中継装置は、第１のアンテナから受信した受信信号と同一周波数の送信信号を増幅して第２のアンテナから送出する際、前記第２のアンテナから前記第１のアンテナへの回り込み信号による干渉を抑圧する干渉抑圧手段を備えた無線中継装置において、前記第１のアンテナから入力された受信信号および前記干渉抑圧手段から出力された干渉抑圧信号を合成する第１の方向性結合器と、前記第１の方向性結合器から出力された信号のうち、伝送帯域の信号を通過させて出力する第１のフィルタと、前記第１のフィルタから出力された信号を増幅する増幅手段と、前記増幅手段によって増幅された信号のうち、伝送帯域の信号を通過させる第２のフィルタと、前記第２のフィルタから出力された信号を、前記第２のアンテナに出力するとともに、前記干渉抑圧手段に干渉参照信号として出力する第２の方向性結合器とを備え、前記干渉抑圧手段は、それぞれ前記第２の方向性結合器から出力された前記干渉参照信号と前記増幅手段に入力される送信信号とをもとに前記回り込み信号の干渉を抑圧する前記干渉抑圧信号を前記第１の方向性結合器に出力することを特徴とする。
【００１３】
請求項１の発明によれば、干渉参照信号の分岐点である第２の方向性結合器の前段に、伝送帯域の信号を通過させる第２のフィルタを設け、干渉抑圧信号の合成点である第１の方向性結合器の後段に、伝送帯域の信号を通過させる第１のフィルタを設けることによって、干渉抑圧信号と回り込み信号とに異なる周波数特性をもたせないようにし、干渉抑圧信号と回り込み信号とのキャンセル能力を高めるようにしている。
【００１４】
また、請求項２にかかる無線中継装置は、上記の発明において、第１のアンテナから受信した第１の受信信号と同一周波数の送信信号を増幅して第２のアンテナから送出する第１の中継手段と、前記第２のアンテナから受信した第２の受信信号と同一周波数の送信信号を増幅して第１のアンテナから送出する第２の中継手段と、前記第２のアンテナから前記第１のアンテナへの回り込み信号による干渉を抑圧する第１の干渉抑圧手段と、前記第１のアンテナから前記第２のアンテナへの回り込み信号による干渉を抑圧する第２の干渉抑圧手段とを備えた無線中継装置において、前記第１のアンテナから入力された第１の受信信号を前記第１の中継手段に出力するとともに、前記第２の中継手段から出力された信号を前記第１のアンテナに出力する第１のサーキュレータと、前記第２のアンテナから入力された第２の受信信号を前記第２の中継手段に出力するとともに、前記第１の中継手段から出力された信号を前記第２のアンテナに出力する第２のサーキュレータとを備え、前記第１の中継手段は、前記第１のサーキュレータから出力された第１の受信信号および前記第１の干渉抑圧手段から出力された第１の干渉抑圧信号を合成する第１の方向性結合器と、前記第１の方向性結合器から出力された信号のうち、伝送帯域の信号を通過させて出力する第１のフィルタと、前記第１のフィルタから出力された信号を増幅する第１の増幅手段と、前記第１の増幅手段によって増幅された信号のうち、伝送帯域の信号を通過させる第２のフィルタと、前記第２のフィルタから出力された信号を、前記第２のサーキュレータに出力するとともに、前記第１の干渉抑圧手段に第１の干渉参照信号として出力する第２の方向性結合器とを備え、前記第２の中継手段は、前記第２のサーキュレータから出力された第２の受信信号および前記第２の干渉抑圧手段から出力された第２の干渉抑圧信号を合成する第３の方向性結合器と、前記第３の方向性結合器から出力された信号のうち、伝送帯域の信号を通過させて出力する第３のフィルタと、前記第３のフィルタから出力された信号を増幅する第２の増幅手段と、前記第２の増幅手段によって増幅された信号のうち、伝送帯域の信号を通過させる第４のフィルタと、前記第４のフィルタから出力された信号を、前記第１のサーキュレータに出力するとともに、前記第２の干渉抑圧手段に第２の干渉参照信号として出力する第４の方向性結合器とを備え、前記第１および第２の干渉抑圧手段は、それぞれ前記第２および第４の方向性結合器から出力された前記第１および第２の干渉参照信号と前記第１および第２の増幅手段に入力される送信信号とをもとに前記回り込み信号の干渉を抑圧する前記第１および第２の干渉抑圧信号を前記第１および第３の方向性結合器にそれぞれ出力することを特徴とする。
【００１５】
請求項２の発明によれば、第１のアンテナおよび第２のアンテナに通常接続される共用器に代えて、フィルタ機能を有しない第１のサーキュレータと第２のサーキュレータとを接続し、第１および第２のサーキュレータの後段に、それぞれ第１および第２の干渉抑圧信号の合成点である第１および第３の方向性結合器を設け、さらに第１および第３の方向性結合器の後段に、それぞれ伝送帯域の信号を通過させる第１および第３のフィルタを設けるとともに、第１および第２のサーキュレータの前段に、それぞれ第２および第１の干渉参照信号の分岐点である第４および第２の方向性結合器を設け、さらに第４および第２の方向性結合器の前段に、それぞれ伝送帯域の信号を通過させる第４および第２のフィルタを設けることによって、干渉抑圧信号と回り込み信号とに異なる周波数特性を持たせないようにし、干渉抑圧信号と回り込み信号とのキャンセル能力を高めるようにしている。
【００１６】
また、請求項３にかかる無線中継装置は、上記の発明において、第１のアンテナから受信した第１の受信信号と同一周波数の送信信号を増幅して第２のアンテナから送出する第１の中継手段と、前記第２のアンテナから受信した第２の受信信号と同一周波数の送信信号を増幅して第１のアンテナから送出する第２の中継手段と、前記第２のアンテナから前記第１のアンテナへの回り込み信号による干渉を抑圧する第１の干渉抑圧手段と、前記第１のアンテナから前記第２のアンテナへの回り込み信号による干渉を抑圧する第２の干渉抑圧手段とを備えた無線中継装置において、前記第１のアンテナ側から入力された受信信号を前記第１の増幅手段に出力するとともに前記第２の増幅手段から入力された信号を前記第１のアンテナ側に出力する第１の共用器と、前記第２のアンテナ側から入力された受信信号を前記第２の増幅手段に出力するとともに前記第１の増幅手段から入力された信号を前記第２のアンテナ側に出力する第２の共用器と、前記第１のアンテナと前記第１の共用器との間に設けられ、少なくとも前記第１の干渉抑圧手段から出力された第１の干渉抑圧信号と前記第１の受信信号とを合成して前記第１の共用器に出力するとともに、前記第１の共用器から出力された前記第２の増幅手段からの信号を取り出す第１の方向性結合器と、前記第２のアンテナと前記第２の共用器との間に設けられ、少なくとも前記第２の干渉抑圧手段から出力された第２の干渉抑圧信号と前記第２の受信信号とを合成して第２の共用器に出力するとともに、前記第２の共用器から出力された前記第１の増幅手段からの信号を取り出す第２の方向性結合器と、前記第１の方向性結合器と前記第１の干渉抑圧手段の出力端と前記第２の干渉抑圧手段の入力端とを結合する第１のサーキュレータと、前記第２の方向性結合器と前記第２の干渉抑圧手段の出力端と前記第１の干渉抑圧手段の入力端とを結合する第２のサーキュレータとを備え、前記第１および第２の干渉抑圧手段は、それぞれ前記第２および第１のサーキュレータから出力された前記第１および第２干渉参照信号と前記第１および第２の増幅手段に入力される送信信号とをもとに前記回り込み信号の干渉を抑圧する前記第１および第２の干渉抑圧信号を前記第１および第２のサーキュレータを介して前記第１および第２の方向性結合器にそれぞれ出力することを特徴とする。
【００１７】
請求項３の発明によれば、第１のアンテナと第１の共用器との間に第１の方向性結合器を設けるとともに、第２のアンテナと第２の共用器との間に第２の方向性結合器を設け、この第１の方向性結合器と第２の方向性結合器とを、干渉参照信号と回り込み信号との分岐点かつ干渉抑圧信号と回り込み信号との合成点とし、干渉抑圧信号と回り込み信号とに同一の共用器の周波数特性を持たせるようにし、干渉抑圧信号と回り込み信号とのキャンセル能力を高めるようにしている。
【００１８】
また、請求項４にかかる無線中継装置は、上記の発明において、前記干渉抑圧手段あるいは前記第１および第２の干渉抑圧手段は、前記回り込み信号の遅延量にほぼ対応した遅延量をそれぞれ付与する遅延手段を備えたことを特徴とする。
【００１９】
請求項４の発明によれば、前記干渉抑圧手段あるいは前記第１および第２の干渉抑圧手段が、前記回り込み信号の遅延量にほぼ対応した遅延量をそれぞれ付与し、干渉抑圧信号と回り込み信号との合成タイミングを合わせ、かつ干渉抑圧の広帯域化を図っている。
【００２０】
また、請求項５にかかる無線中継装置は、上記の発明において、前記増幅手段あるいは前記第１および第２の増幅手段は、符号分割多元接続方式における拡散符号の１チップ以上の遅延量をそれぞれ付与するチップ遅延手段を備え、前記干渉抑圧手段あるいは前記第１および第２の干渉抑圧手段は、前記回り込み信号の遅延量にほぼ対応した遅延量をそれぞれ付与する遅延手段を備えたことを特徴とする。
【００２１】
請求項５の発明によれば、第１のアンテナあるいは第２のアンテナから入力される中継すべき受信信号に１チップ以上の遅延量を付与することによって、この受信信号と回り込み信号とを時間的に分離し、回り込み信号のみのキャンセルを行うようにしている。
【００２２】
また、請求項６にかかる無線中継装置は、上記の発明において、前記第１の方向性結合器と前記第１の共用器との間に設けられ、符号分割多元接続方式における拡散符号の１／２チップ以上の遅延量を付与する第１の遅延手段と、前記第２の方向性結合器と前記第２の共用器との間に設けられ、符号分割多元接続方式における拡散符号の１／２チップ以上の遅延量を付与する第２の遅延手段とを備え、前記第１および第２の干渉抑圧手段は、前記回り込み信号の遅延量にほぼ対応した遅延量をそれぞれ付与する第３および第４の遅延手段を備えたことを特徴とする。
【００２３】
請求項６の発明によれば、前記第１の方向性結合器と前記第１の共用器との間および前記第２の方向性結合器と前記第２の共用器との間に、それぞれ１／２チップ以上の遅延量を付与し、最終的に受信信号と回り込み信号とを１チップ以上の時間で分離し、回り込み信号のみのキャンセルを行うようにしている。
【００２４】
また、請求項７にかかる無線中継装置は、上記の発明において、前記干渉抑圧手段あるいは前記第１および第２の干渉抑圧手段は、可変減衰器と、可変移相器と、前記干渉参照信号あるいは前記第１または第２の干渉参照信号と、前記第１または第３のフィルタあるいは前記第１または第２の共用器あるいは前記第１または第２の方向性結合器からの信号との相関演算をそれぞれ行い、該相関演算の出力信号を積分して得られた複素数の出力信号の絶対値の逆数によって前記可変減衰器をそれぞれ制御し、該出力信号の位相を１８０度シフトした値によって前記可変移相器をそれぞれ制御する制御手段とを備えたことを特徴とする。
【００２５】
また、請求項８にかかる無線中継装置は、上記の発明において、前記第１および第２の干渉抑圧手段は、物理的に一つの制御手段によって形成されることを特徴とする。
【００２６】
請求項８の発明によれば、前記第１および第２の干渉抑圧手段は、物理的に一つの制御手段によって形成されるので、小型軽量化を促進することができる。
【００２７】
また、請求項９にかかる干渉抑圧装置は、少なくとも第１のアンテナに接続された第１の方向性結合器と、少なくとも第２のアンテナに接続された第２の方向性結合器と、第１の方向性結合器に接続された半チップ以上の遅延を付与する第１の遅延器と、第２の方向性結合器に接続された半チップ以上の遅延を付与する第２の遅延器と、第１の方向性結合器に接続された第１のサーキュレータと、第２の方向性結合器に接続された第２のサーキュレータと、前記第２のサーキュレータから出力された信号と前記第１の方向性結合器から出力された信号とをもとに干渉抑圧信号を生成し、前記第１のサーキュレータに出力する第１の干渉抑圧回路と、前記第１のサーキュレータから出力された信号と前記第２の方向性結合器から出力された信号とをもとに干渉抑圧信号を生成し、前記第２のサーキュレータに出力する第２の干渉抑圧回路と、前記第１および第２の干渉抑圧回路を制御して前記干渉抑圧信号を生成させる制御手段とを備え、前記第１の方向性結合器は、前記第１のアンテナから入力された信号と前記第１のサーキュレータから出力された干渉抑圧信号とを合成して前記第１の遅延器を介して出力するとともに、その一部を前記制御手段に出力し、前記第１の遅延器から入力された信号を前記第１のアンテナに出力するとともに、その一部を前記第１のサーキュレータに出力し、前記第２の方向性結合器は、前記第２のアンテナから入力された信号と前記第２のサーキュレータから出力された干渉抑圧信号とを合成して前記第２の遅延器を介して出力するとともに、その一部を前記制御手段に出力し、前記第２の遅延器から入力された信号を前記第２のアンテナに出力するとともに、その一部を前記第２のサーキュレータに出力することを特徴とする。
【００２８】
【発明の実施の形態】
以下に添付図面を参照して、この発明にかかる無線中継装置および干渉抑圧装置について説明する。
【００２９】
（実施の形態１）
まず、この発明の実施の形態１について説明する。図１は、この発明の実施の形態１である無線中継装置の概要構成を示す図である。図１において、この無線中継装置は、広帯域符号分割多元接続方式を採用した移動無線通信システムの一部に用いられ、図示しない基地局と無線接続されるアンテナ１ａと、図示しない移動局と無線接続されるアンテナ１ｂと、アンテナ１ａ，１ｂにそれぞれ接続されるサーキュレータ２ａ，２ｂと、サーキュレータ２ａ，２ｂからの出力信号がそれぞれ入力される方向性結合器３ａ，３ｂと、方向性結合器３ａ，３ｂからの出力信号に対して伝送帯域の信号のみをそれぞれ通過させるフィルタ４ａ，４ｂと、フィルタ４ａ，４ｂからの出力信号をそれぞれ増幅する増幅器８ａ，８ｂと、増幅器８ａ，８ｂからの出力信号に対して伝送帯域の信号のみをそれぞれ通過させるフィルタ９ａ，９ｂと、フィルタ９ａ，９ｂからの出力信号を分岐する方向性結合器１０ａ，１０ｂと、方向性結合器１０ａ，１０ｂからの出力信号の一部である干渉参照信号を用いて回り込み信号Ｓａ，Ｓｂの干渉を抑圧する干渉抑圧信号を生成し、それぞれ方向性結合器３ａ，３ｂに出力する干渉抑圧回路１５ａ，１５ｂとを有し、方向性結合器１０ａ，１０ｂから分岐出力された他の出力信号は、それぞれサーキュレータ２ｂ，２ａおよびアンテナ１ｂ，１ａを介して輻射される。
【００３０】
すなわち、図１に示した無線中継装置では、干渉抑圧信号を生成するための干渉参照信号の取り出し点であって、この干渉参照信号と回り込み信号Ｓａ，Ｓｂとの分岐点と、干渉抑制信号と回り込み信号Ｓａ，Ｓｂとの合成点との間に、伝送帯域の信号のみを通過させるフィルタを設けず、干渉抑圧信号と回り込み信号Ｓａ，Ｓｂと間における振幅、位相、遅延の周波数特性の差が生じないように、共用器に代わってサーキュレータ２ａ，２ｂを設けるとともに、合成点である方向性結合器３ａ，３ｂの後段にフィルタ４ａ，４ｂを設け、さらに分岐点である方向性結合器１０ａ，１０ｂの前段にフィルタ９ａ，９ｂを設けるようにしている。
【００３１】
図２は、図１に示した無線中継装置の詳細構成を示すブロック図である。まず図示しない基地局から図示しない移動局への下り信号の中継動作および回り込み信号の干渉抑圧動作について説明する。なお、この無線中継装置は、ＲＦリピータ装置であり、再生中継せず、受信した下り信号を、高周波信号のまま増幅して輻射出力する。また、上り信号の中継動作および回り込み信号の干渉抑圧動作は、下り信号と同じである。ただし、下り信号と上り信号の周波数は異なる。また、アンテナ１ａが受信する下り信号の周波数とアンテナ１ｂが送信する下り信号の周波数とは同一である。
【００３２】
図２において、アンテナ１ａは送受共用のアンテナであり、アンテナ１ａから受信した受信信号である下り主線系の信号Ｄ１は、サーキュレータ２ａを介して方向性結合器３ａに出力される。方向性結合器３ａは、下り主線系の信号Ｄ１と後述する干渉抑圧信号である下り抑圧系の信号Ｄ２とを合成し、この合成された下り主線系の信号Ｄ１をフィルタ４ａに出力する。フィルタ４ａは、下り信号の伝送帯域の信号のみを通過させ、低雑音増幅器５ａに出力する。低雑音増幅器５ａは、入力された下り主線系の信号Ｄ１を増幅し、方向性結合器６ａに出力する。
【００３３】
方向性結合器６ａは、下り主線系の信号Ｄ１の一部を演算処理部Ｃに出力し、残りの下り主線系の信号Ｄ１は、遅延器７ａに出力される。遅延器７ａは、１チップ分以上の遅延を与え、増幅器８ａに出力する。増幅器８ａは、遅延された下り主線系の信号Ｄ１を増幅し、フィルタ９ａに出力する。フィルタ９ａは、下り主線系の信号Ｄ１から伝送帯域の信号のみを通過させ、方向性結合器１０ａに出力する。方向性結合器１０ａは、下り主線系の信号Ｄ１の一部を分岐し、干渉参照信号（下り抑圧系の信号Ｄ２）として方向性結合器１１ａに出力するとともに、残りの下り主線系の信号Ｄ１を、下り主線系の信号Ｄ１としてサーキュレータ２ｂに出力する。サーキュレータ２ｂは、アンテナ１ｂを介して下り主線系の信号Ｄ１をアンテナ１ｂから輻射出力する。アンテナ１ｂから輻射出力された下り主線系の信号Ｄ１は、図示しない移動局側に放射されるとともに、一部は、回り込み信号Ｓａとしてアンテナ１ａに入力される。
【００３４】
一方、方向性結合器１１ａは、下り抑圧系の信号Ｄ２の一部を干渉参照信号として演算処理部Ｃに入力し、残りの下り抑圧系の信号Ｄ２は、遅延器１２ａに出力される。遅延器１２ａは、回り込み信号Ｓａのアンテナ１ｂからアンテナ１ａへの遅延時間分遅延した遅延量を下り抑圧系の信号Ｄ２に付与し、可変の移相器１３ａに出力する。さらに、移相器１３ａから出力された下り抑圧系の信号Ｄ２は、可変の減衰器１４ａに出力され、最終的に回り込み信号Ｓａと同振幅かつ逆位相の干渉抑圧信号として方向性結合器３ａに出力される。この結果、方向性結合器３ａにおいて、干渉抑圧信号と回り込み信号Ｓａとが合成され、これらは互いに打ち消し合い、回り込み信号Ｓａ成分が下り主線系の信号Ｄ１から削除されることになる。
【００３５】
ここで、演算処理部Ｃは、方向性結合器６ａからの出力信号と方向性結合器１１ａからの干渉参照信号との相関演算を行い、この相関演算の出力信号を積分して得られた複素数の出力信号の絶対値の逆数によって減衰器１４ａを可変制御し、この複素数の出力信号の位相から１８０度シフトした値に移相器１３ａを可変制御する。この相関演算を行うのは、回り込み信号Ｓａがその伝搬空間において変動した振幅値と位相値とを知るためである。
【００３６】
また、遅延器７ａにおいて１チップ以上の遅延を与えるのは、この遅延を与えない場合、この回り込み信号Ｓａと受信した所望信号との間の相関値が高くなり、干渉抑圧信号によって干渉信号成分である回り込み信号のみをキャンセルできなくなるからである。すなわち、１チップ以上の遅延を与えることによって、所望信号と回り込み信号との相関をなくし、受信信号中における干渉信号成分のみをキャンセルするようにしている。
【００３７】
ここで、図３は、従来の共用器内のフィルタによって与えられる周波数特性の一例を示す図である。図３（ａ）は、振幅に対する周波数特性を示し、図３（ｂ）は、群遅延に対する周波数特性を示している。従来の共用器は、図３（ａ）に示すように、振幅に関しては、伝送帯域において約０．５ｄＢの周波数特性を有し、図３（ｂ）に示すように、群遅延に関しては、伝送帯域において約７０ｎｓの周波数特性を有している。
【００３８】
この実施の形態１では、干渉抑圧信号と回り込み信号との間に図３で示したような周波数特性の差異を持つことがなく、フィルタ４ａ，９ｂの共通の周波数特性を有しているので、正確かつ迅速なキャンセル動作が可能となる。
【００３９】
（実施の形態２）
つぎに、この発明の実施の形態２について説明する。上述した実施の形態１では、共用器の代わりにサーキュレータを用いて送受信周波数を同一アンテナで共用するとともに、干渉参照信号と回り込み信号との分岐点である方向性結合器１０ａの前段および干渉抑圧信号と回り込み信号との合成点である方向性結合器３ａの後段にそれぞれ伝送帯域のみを通過させるフィルタ９ａ，４ａを設け、干渉抑圧信号と回り込み信号との周波数特性が異ならないようにしていたが、この実施の形態２では、共用器を用いても干渉抑圧信号と回り込み信号との周波数特性が異ならないようにしている。
【００４０】
図４は、この発明の実施の形態２である無線中継装置の概要構成を示す図である。図４において、アンテナ２１ａによって受信された下り受信信号は、方向性結合器２２ａを介して共用器２３ａに入力され、共用器２３ａは、この受信信号を増幅器２８ａに出力する。増幅器２８ａは、受信された信号を増幅し、共用器２３ｂに出力し、共用器２３ｂは、この信号を方向性結合器２２ｂを介してアンテナ２１ｂから輻射出力する。この際、アンテナ２１ｂからアンテナ２１ａに対して回り込み信号Ｓａが輻射される。
【００４１】
一方、アンテナ２１ｂによって受信された受信信号は、方向性結合器２２ｂを介して共用器２３ｂに入力され、共用器２３ｂは、この受信信号を増幅器２８ｂに出力する。増幅器２８ｂは、この受信信号を増幅し、共用器２３ａに出力する。共用器２３ａは、この信号を方向性結合器２２ａを介してアンテナ２１ａから輻射出力する。この際、アンテナ２１ａからアンテナ２１ｂに対して回り込み信号Ｓｂが輻射される。
【００４２】
ここで、方向性結合器２２ａ，２２ｂには、それぞれサーキュレータ３０ｂ，３０ａが接続される。アンテナ２１ａによって受信され、増幅された信号であって方向性結合器２２ｂによって分岐出力された干渉参照信号は、サーキュレータ３０ａを介して干渉抑圧回路３５ａに入力される。干渉抑圧回路３５ａは、回り込み信号Ｓａと同振幅・逆位相の干渉抑圧信号を生成し、サーキュレータ３０ｂを介して方向性結合器２２ａによって回り込み信号Ｓａと合成され、回り込み信号Ｓａのキャンセルが行われる。一方、アンテナ２１ｂによって受信され、増幅された信号であって方向性結合器２２ａによって分岐出力された干渉参照信号は、サーキュレータ３０ｂを介して干渉抑圧回路３５ｂに入力される。干渉抑圧回路３５ｂは、回り込み信号Ｓｂと同振幅・逆位相の干渉抑圧信号を生成し、サーキュレータ３０ａを介して方向性結合器２２ｂによって回り込み信号Ｓｂと合成され、回り込み信号Ｓｂのキャンセルが行われる。
【００４３】
図５は、図４に示した無線中継装置の詳細構成を示すブロック図である。図５において、実施の形態１と同様に、図示しない基地局から図示しない移動局への下り信号の中継動作および回り込み信号の干渉抑圧動作について説明する。なお、この無線中継装置は、ＲＦリピータ装置であり、再生中継せず、受信した下り信号を、高周波信号のまま増幅して輻射出力する。また、上り信号の中継動作および回り込み信号の干渉抑圧動作は、下り信号と同じである。ただし、下り信号と上り信号の周波数は異なる。また、アンテナ２１ａが受信する下り信号の周波数とアンテナ２１ｂが送信する下り信号の周波数とは同一である。
【００４４】
図５において、アンテナ２１ａは送受共用のアンテナであり、アンテナ２１ａから受信した受信信号である下り主線系の信号Ｄ２１は、方向性結合器２２ａに入力される。方向性結合器２２ａは、下り主線系の信号Ｄ２１とサーキュレータ３０ｂから入力される干渉抑圧信号である下り抑圧系の信号Ｄ２２とを合成し、この合成した下り主線系の信号Ｄ２１を共用器２３ａに出力する。
【００４５】
下り主線系の信号Ｄ２１は、共用器２３ａのフィルタ２３ａａによって下り信号の伝送帯域の信号のみを通過させ、低雑音増幅器２５ａに出力する。低雑音増幅器２５ａは、入力された下り主線系の信号Ｄ２１を増幅し、方向性結合器２６ａに出力する。方向性結合器２６ａは、下り主線系の信号Ｄ２１の一部を演算処理部Ｃに出力し、残りの下り主線系の信号Ｄ２１は、遅延器２７ａに出力される。遅延器２７ａは、１チップ分以上の遅延を与え、増幅器２８ａに出力する。増幅器２８ａは、遅延された下り主線系の信号Ｄ２１を増幅し、共用器２３ｂに出力する。共用器２３ｂは、下り主線系の信号Ｄ２１を共用器２３ｂのフィルタ２３ｂａを介して、伝送帯域の信号のみを通過させ、方向性結合器２２ｂに出力する。方向性結合器２２ｂは、下り主線系の信号Ｄ２１の一部を分岐し、干渉参照信号（下り抑圧系の信号Ｄ２２）としてサーキュレータ３０ａに出力するとともに、残りの下り主線系の信号Ｄ２１を、下り主線系の信号Ｄ２１としてアンテナ２１ｂから輻射出力する。アンテナ２１ｂから輻射出力された下り主線系の信号Ｄ２１は、図示しない移動局側に放射されるとともに、一部は、回り込み信号Ｓａとしてアンテナ２１ａに入力される。
【００４６】
一方、サーキュレータ３０ａの後段には方向性結合器３１ａが接続され、方向性結合器３１ａは、下り抑圧系の信号Ｄ２２の一部を干渉参照信号として演算処理部Ｃに入力し、残りの下り抑圧系の信号Ｄ２２は、遅延器３２ａに出力される。遅延器３２ａは、回り込み信号Ｓａのアンテナ２１ｂからアンテナ２１ａへの遅延時間分遅延した遅延量を下り抑圧系の信号Ｄ２２に付与し、可変の移相器３３ａに出力する。さらに、移相器３３ａから出力された下り抑圧系の信号Ｄ２２は、可変の減衰器３４ａに出力され、最終的に回り込み信号Ｓａと同振幅かつ逆位相の干渉抑圧信号としてサーキュレータ３０ｂを介して方向性結合器２２ａに出力される。この結果、方向性結合器２２ａにおいて、干渉抑圧信号と回り込み信号Ｓａとが合成され、これらは互いに打ち消し合い、回り込み信号Ｓａ成分が下り主線系の信号Ｄ２１から削除されることになる。
【００４７】
ここで、演算処理部Ｃは、方向性結合器２６ａからの出力信号と方向性結合器３１ａからの干渉参照信号との相関演算を行い、この相関演算の出力信号を積分して得られた複素数の出力信号の絶対値の逆数によって減衰器３４ａを可変制御し、この複素数の出力信号の位相から１８０度シフトした値に移相器３３ａを可変制御する。この相関演算を行うのは、回り込み信号Ｓａがその伝搬空間において変動した振幅値と位相値とを知るためである。
【００４８】
また、遅延器２７ａにおいて１チップ以上の遅延を与えるのは、この遅延を与えない場合、この回り込み信号Ｓａと受信した所望信号との間の相関値が高くなり、干渉抑圧信号によって干渉信号成分である回り込み信号のみをキャンセルできなくなるからである。すなわち、１チップ以上の遅延を与えることによって、所望信号と回り込み信号との相関をなくし、受信信号中における干渉信号成分のみをキャンセルするようにしている。
【００４９】
この実施の形態２では、共用器２３ａ，２３ｂをそのまま用い、干渉参照信号と回り込み信号との分岐点および干渉抑圧信号と回り込み信号との合成点をともに共用器２３ａ，２３ｂとアンテナ２１ａ，２１ｂとの間にそれぞれ設け、共用器２３ａ，２３ｂの周波数特性を、干渉参照信号あるいは干渉抑圧信号と回り込み信号とのいずれにも持たせるようにし、干渉抑圧信号と回り込み信号との伝送帯域における周波数特性が異ならないようにし、キャンセル能力の低下を防止している。
【００５０】
（実施の形態３）
つぎに、この発明の実施の形態３について説明する。上述した実施の形態２では、下り主線系と上り主線系とのいずれにも増幅処理とは直接無関係な遅延器２７ａ，２７ｂが設けられていたが、この実施の形態３では、遅延器２７ａ，２７ｂに対応する遅延器を共用器２３ａ，２３ｂと方向性結合器２２ａ，２２ｂとの間に設けるようにし、増幅処理部と干渉抑圧部とを物理的に分離できる形態としている。
【００５１】
図６は、この発明の実施の形態３である無線中継装置の詳細構成を示すブロック図である。図６において、この無線中継装置は、実施の形態２に示した遅延器２７ａ，２７ｂを削除し、方向性結合器２２ａと共用器２３ａとの間に遅延器２７ｃを設けるとともに、方向結合器２２ｂと共用器２３ｂとの間に遅延器２７ｄを設けている。その他の構成は実施の形態２と同じであり、同一構成部分には同一符号を付している。
【００５２】
遅延器２７ｃ，２７ｄは、通過する下り主線系の信号Ｄ２１および上り主線系の信号Ｕ２１のいずれも半チップ以上の遅延を与え、これら２つの遅延器２７ｃ，２７ｄによって、下り主線系の信号Ｄ２１および上り主線系の信号Ｕ２１の増幅処理時に１チップ以上の遅延が与えられることになる。なお、この場合、演算処理部Ｃに入力される下り主線系の信号Ｄ２１と上り主線系の信号Ｕ２１とは、ぞれぞれ方向性結合器２２ａ，２２ｂから分岐出力される。
【００５３】
これによって、干渉抑圧系の回路は、干渉抑圧装置４０として物理的独立した回路として形成することができる。換言すれば、この干渉抑圧装置４０を取り除いた場合、図６に示した無線中継装置は、干渉抑圧処理を行わない単なるＲＦリピータとしての機能をもつことになる。逆に、干渉抑圧処理機能を有しない無線中継装置に、干渉抑圧装置４０を独立して容易に接続することができる。
【００５４】
この実施の形態３では、干渉抑圧装置４０を増幅処理系のユニットとは別に形成できるため、干渉抑圧処理が必要な無線中継装置のみに干渉抑圧装置４０のユニットを簡易に付加・削除をすることができるため、効率的かつ柔軟な移動通信システムを構築することができる。
【００５５】
なお、上述した実施の形態１〜３では、デジタル信号処理を行う演算処理部Ｃ，ＣＣを下り信号および上り信号に共通な構成として示したが、もちろん、分離した構成としてもよい。
【００５６】
さらに、上述した実施の形態１〜３では、いずれも回り込み信号のマルチパスを考慮していなかったが、マルチパスの数に応じた数の干渉抑圧回路を設け、これら干渉抑圧回路からの各干渉抑圧信号を合成する合成器を介して下り主線系の信号あるいは上り主線系の信号に合成し、各マルチパスの回り込み信号をキャンセルするようにしてもよい。これによって、さらに干渉抑圧能力を高めることができる。
【００５７】
【発明の効果】
以上説明したように、請求項１の発明によれば、干渉参照信号の分岐点である第２の方向性結合器の前段に、伝送帯域の信号を通過させる第２のフィルタを設け、干渉抑圧信号の合成点である第１の方向性結合器の後段に、伝送帯域の信号を通過させる第１のフィルタを設けることによって、干渉抑圧信号と回り込み信号とに異なる周波数特性をもたせないようにし、干渉抑圧信号と回り込み信号とのキャンセル能力を高めるようにしているので、第１および第２のアンテナ間のアイソレーションを高くとれない場合であっても、同一無線周波数のＲＦ中継時における伝送品質の劣化や回り込み信号による発振を防止することができるという効果を奏する。
【００５８】
また、請求項２の発明によれば、第１のアンテナおよび第２のアンテナに通常接続される共用器に代えて、フィルタ機能を有しない第１のサーキュレータと第２のサーキュレータとを接続し、第１および第２のサーキュレータの後段に、それぞれ第１および第２の干渉抑圧信号の合成点である第１および第３の方向性結合器を設け、さらに第１および第３の方向性結合器の後段に、それぞれ伝送帯域の信号を通過させる第１および第３のフィルタを設けるとともに、第１および第２のサーキュレータの前段に、それぞれ第２および第１の干渉参照信号の分岐点である第４および第２の方向性結合器を設け、さらに第４および第２の方向性結合器の前段に、それぞれ伝送帯域の信号を通過させる第４および第２のフィルタを設けることによって、干渉抑圧信号と回り込み信号とに異なる周波数特性を持たせないようにし、干渉抑圧信号と回り込み信号とのキャンセル能力を高めるようにしているので、第１および第２のアンテナが送受共用アンテナであって、第１および第２のアンテナ間のアイソレーションを高くとれない場合であっても、同一無線周波数のＲＦ中継時における伝送品質の劣化や回り込み信号による発振を簡易な構成で防止することができるという効果を奏する。
【００５９】
また、請求項３の発明によれば、第１のアンテナと第１の共用器との間に第１の方向性結合器を設けるとともに、第２のアンテナと第２の共用器との間に第２の方向性結合器を設け、この第１の方向性結合器と第２の方向性結合器とを、干渉参照信号と回り込み信号との分岐点かつ干渉抑圧信号と回り込み信号との合成点とし、干渉抑圧信号と回り込み信号とに同一の共用器の周波数特性を持たせるようにし、干渉抑圧信号と回り込み信号とのキャンセル能力を高めるようにしているので、第１および第２のアンテナが送受共用アンテナであって、第１および第２のアンテナ間のアイソレーションを高くとれない場合であっても、既存の共用器を用いたまま、同一無線周波数のＲＦ中継時における伝送品質の劣化や回り込み信号による発振を簡易な構成で防止することができるという効果を奏する。
【００６０】
また、請求項４の発明によれば、前記干渉抑圧手段あるいは前記第１および第２の干渉抑圧手段が、前記回り込み信号の遅延量にほぼ対応した遅延量をそれぞれ付与し、干渉抑圧信号と回り込み信号との合成タイミングを合わせるようにしているので、回り込み信号のキャンセルを確実かつ広帯域に行うことができるという効果を奏する。
【００６１】
また、請求項５の発明によれば、第１のアンテナあるいは第２のアンテナから入力される中継すべき受信信号に１チップ以上の遅延量を付与することによって、この受信信号と回り込み信号とを時間的に分離し、回り込み信号のみのキャンセルを行うようにしているので、受信信号の中継に影響を与えずに回り込み信号のキャンセルを行うことができるという効果を奏する。
【００６２】
また、請求項６の発明によれば、前記第１の方向性結合器と前記第１の共用器との間および前記第２の方向性結合器と前記第２の共用器との間に、それぞれ１／２チップ以上の遅延量を付与し、最終的に受信信号と回り込み信号とを１チップ以上の時間で分離し、回り込み信号のみのキャンセルを行うようにしているので、受信信号の中継に影響を与えずに回り込み信号のキャンセルを行うことができるとともに、中継処理機能と干渉抑圧機能とを物理的に分離したユニット形態で製造することができ、中継処理機能のみを有する無線中継装置に対する干渉抑圧機能の付加・削除を容易に行うことができ、柔軟な移動通信システムを構築することができるという効果を奏する。
【００６３】
また、請求項７の発明によれば、制御手段が、前記干渉参照信号あるいは前記第１または第２の干渉参照信号と、前記第１または第３のフィルタあるいは前記第１または第２の共用器あるいは前記第１または第２の方向性結合器からの信号との相関演算をそれぞれ行い、該相関演算の出力信号を積分して得られた複素数の出力信号の絶対値の逆数によって前記可変減衰器をそれぞれ制御し、該出力信号の位相を１８０度シフトした値によって前記可変移相器をそれぞれ制御するようにしているので、確実に回り込み信号をキャンセルすることができるという効果を奏する。
【００６４】
また、請求項８の発明によれば、前記第１および第２の干渉抑圧手段は、物理的に一つの制御手段によって形成されるので、小型軽量化を促進することができるという効果を奏する。
【００６５】
また、請求項９の発明によれば、干渉抑圧装置を一つのユニットで構成することができ、中継処理機能のみを有する無線中継装置に対する干渉抑圧装置の取り付け、削除を容易に行うことができるとともに、干渉抑圧機能が必要な無線中継装置のみに干渉抑圧装置を付加すればよいので、効率的かつ柔軟な移動通信システムを構築することができるという効果を奏する。
【図面の簡単な説明】
【図１】この発明の実施の形態１である無線中継装置の概要構成を示す図である。
【図２】図１に示した無線中継装置の詳細構成を示すブロック図である。
【図３】共用器が有する振幅および群遅延の周波数特性の一例を示す図である。
【図４】この発明の実施の形態２である無線中継装置の概要構成を示す図である。
【図５】図４に示した無線中継装置の詳細構成を示すブロック図である。
【図６】この発明の実施の形態３である無線中継装置の構成を示すブロック図である。
【図７】無線中継装置が用いられる移動通信システムの概要構成を示す図である。
【図８】従来の無線中継装置の概要構成を示す図である。
【図９】図８に示した無線中継装置の詳細構成を示すブロック図である。
【符号の説明】
１ａ，１ｂ，２１ａ，２１ｂ　アンテナ
２ａ，２ｂ，３０ａ，３０ｂ　サーキュレータ
３ａ，３ｂ，６ａ，６ｂ，１０ａ，１０ｂ，１１ａ，１１ｂ，２２ａ，２２ｂ，２６ａ，２６ｂ，３１ａ，３１ｂ　方向性結合器
４ａ，４ｂ，９ａ，９ｂ，２３ａａ，２３ａｂ，２３ｂａ，２３ｂｂ　フィルタ
５ａ，５ｂ，２５ａ，２５ｂ　低雑音増幅器
７ａ，７ｂ，１２ａ，１２ｂ，２７ａ，２７ｂ，２７ｃ，２７ｄ，３２ａ，３２ｂ　遅延器
８ａ，８ｂ，２８ａ，２８ｂ　増幅器
１３ａ，１３ｂ，３３ａ，３３ｂ　移相器
１４ａ，１４ｂ，３４ａ，３４ｂ　減衰器
４０　干渉抑圧装置
Ｄ１，Ｄ２１　下り主線系の信号
Ｄ２，Ｄ２２　上り主線系の信号
Ｕ１，Ｕ２１　下り抑圧系の信号
Ｕ２，Ｕ２２　上り抑圧系の信号
Ｓａ，Ｓｂ　回り込み信号
【図１】
2004048203.tif 000003
【図２】
2004048203.tif 000004
【図３】
2004048203.tif 000005
【図４】
2004048203.tif 000006
【図５】
2004048203.tif 000007
【図６】
2004048203.tif 000008
【図７】
2004048203.tif 000009
【図８】
2004048203.tif 000010
【図９】
2004048203.tif 000011